(57)【要約】【課題】従来の重要データ保護方式では、データを暗号化により変換するだけだったので、暗号の解読方法が知られてしまった場合に、重要なデータの内容が第三者に知られてしまい、データの保護が行えないという問題があった。【解決手段】ファイル管理装置１の中に、データを分割するパターンを決める分割パターン選択器３と、データの分割パターンに基づいてデータを分割するデータ分割器５と、データの分割パターンに基づいてデータを組み立てるデータ復号器９を備えることで、データをまず分割し、複数に分けた後、暗号化を行いデータを変換することで、暗号が解読されても分割されたデータの組み立て方を知らなければ、データの内容が分からないようにする。【選択図】        図１
2004234371.tif 000002
【特許請求の範囲】
【請求項１】
データを装置に入力し、また、装置からデータを出力するデータ入出力器と、上記データ入出力器から入力されたデータを分割するパターンを決める分割パターン選択器と、上記分割パターン選択器が決めたデータの分割パターンに基づいてデータを分割するデータ分割器と、上記データ分割器が分割したデータを暗号化するデータ暗号器と、上記データ暗号器が暗号化したデータを蓄積するデータ蓄積器と、上記データ蓄積器が蓄積している暗号化されたデータを復号するデータ復号器と、上記データ復号器が復号化したデータを、上記分割パターン選択器が決めたデータの分割パターンに基づいてデータを元の形に組み立てるデータ復元器を有したことを特徴とするファイル管理装置。
【請求項２】
分割されたデータに、それぞれ違った暗号化を行い、それを復号化するために、分割されたデータの暗号化のパターンを決める暗号鍵選択器と、上記暗号鍵選択器の決めた暗号化パターンに基づいて別々の方式で暗号化を行う暗号鍵選択暗号器と、上記暗号鍵選択器の決めた暗号化パターンに基づいて別々の方式で暗号化されたデータの復号化を行う暗号鍵選択復号器を備えたことを特徴とする請求項１記載の  ファイル管理装置。
【請求項３】
分割されたデータを、暗号化する前に、元のデータの形とは異なる形で組み立てるパターンを決める、疑似データ組み立てパターン選択器と、上記疑似データ組み立てパターン選択器の決めたデータ組み立てパターンに基づいて、分割されたデータを組み立てる、疑似データ組み立て器と、上記疑似データ組み立てパターン選択器の決めたデータ組み立てパターンに基づいて、復号化された疑似データを分割する疑似データ分割器を備えたことを特徴とする請求項１記載のファイル管理装置。
【請求項４】
分割、暗号化されたデータを、元のデータの形とは異なる形で組み立てるパターンを決める、データ組み立てパターン選択器と、上記データ組み立てパターン選択器の決めたデータ組み立てパターンに基づいて、分割されたデータを組み立てる、疑似データ組み立て器と、上記データ組み立てパターン選択器の決めたデータ組み立てパターンに基づいて、疑似データを分割する疑似データ分割器を備えたことを特徴とする請求項１記載のファイル管理装置。
【請求項５】
分割されたデータに、それぞれ違った暗号化を行い、それを復号化するために、分割されたデータの暗号化のパターンを決める暗号鍵選択器と、上記暗号鍵選択器の暗号化パターンにより、データを暗号化する暗号鍵選択暗号器と、上記暗号鍵選択暗号器により、暗号化されたデータを、元のデータの形とは異なる形で組み立てるパターンを決める、データ組み立てパターン選択器と、上記データ組み立てパターン選択器の決めたデータ組み立てパターンに基づいて、分割されたデータを組み立てる、疑似データ組み立て器と、上記データ組み立てパターン選択器の決めたデータ組み立てパターンに基づいて、疑似データを分割する疑似データ分割器を備えたことを特徴とする請求項１記載のファイル管理装置。
【発明の詳細な説明】
【０００１】
【発明の属する技術分野】
この発明は、個人情報などの関係のない第三者に知られるべきでないデータを蓄積するファイル管理装置に関するものである。
【０００２】
【従来の技術】
現在、重要なデータを保護するための方法の一つとして暗号化がある。このようなシステムの一例として、必要に応じてサーバに蓄積された文書に対してセキュリテイを保障するために暗号化処理を施す従来技術が知られている（例えば、特許文献１）。
【０００３】
【特許文献１】
特開２００１−１０３２３２号公報
【０００４】
ところが、暗号の解読方法が分かると暗号化されたデータを手に入れた第三者が、この暗号化されたデータを元のデータに戻し、データの内容を知ってしまい、データのセキュリティが保護できないことになる。
【０００５】
これを防ぐためには、重要なデータに対しては暗号化によるデータの内容を変換する以外の方法を用意する必要がある。
【０００６】
【発明が解決しようとする課題】
従来のデータの保護方式では、データを暗号化により変換するだけだったので、暗号の解読方法が知られてしまった場合に、データの内容が第三者に知られてしまい、データの保護が行えないという問題があった。
【０００７】
この発明は、係る課題を解決するために成されたものであり、保護する必要のあるデータに必要な変換を行うことで、データの内容が他人に知られることを防ぎ、データの保護が行えるようにすることを目的とする。
【０００８】
【課題を解決するための手段】
この発明による  ファイル管理装置は、データをまず分割し、複数に分けた後、暗号化を行いデータを変換することで、暗号が解読されても分割されたデータの組み立て方を知らなければ、データの内容が分からないようにすることを特徴とする。
【０００９】
【発明の実施の形態】
実施の形態１．
以下、図を用いてこの発明に係る実施の形態１について説明する。
図１は実施の形態１による  ファイル管理装置の構成を示している。
図１において、Ａは保護する必要のあるデータであり、Ａ１、Ａ２、Ａ３はＡを分割したデータであり、Ａ１’、Ａ２’、Ａ３’は、Ａ１、Ａ２、Ａ３を暗号化したデータであり、Ｂはデータの分割パターン表であり、ＣはデータＡの分割パターンであり、１は  ファイル管理装置であり、２は外部とのデータの入出力を行うデータ入出力器であり、３は上記データ入出力器から入力されたデータを分割するパターンを決める分割パターン選択器であり、４は上記分割パターン選択器が決めたデータの分割パターン等を記録するメモリであり、５は上記分割パターン選択器が決めたデータの分割パターンに基づいてデータを分割するデータ分割器であり、６は上記データ分割器が分割したデータを暗号化するデータ暗号器であり、７は上記データ暗号器が暗号化したデータを蓄積するデータ蓄積器であり、８は上記データ蓄積器が蓄積している暗号化されたデータを復号するデータ復号器であり、９は上記データ復号器が復号化したデータを、上記分割パターン選択器が決めたデータの分割パターンに基づいてデータを元の形に組み立てるデータ復元器である。
【００１０】
次にデータを蓄積する方法について説明する。
ファイル管理装置１に入力された保護する必要のあるデータＡは、外部とのデータの入出力を行うデータ入出力器２から  ファイル管理装置内に入力される。
データ入出力器２から装置内にデータＡが入力されると、データを分割するパターンを決める分割パターン選択器３が、メモリに記録されたデータの分割パターン表Ｂから、データの分割パターンを一つ選択し、データＡをどのパターンで分割するか、分割後のデータ名をどうするかを決めてデータＡの分割パターンＣとして、メモリ４に記録する。ここでは、例として分割パターンはパターン１、パターン１はデータを３つに分割するので、分割後のデータ名をＡ１、Ａ２、Ａ３とする。データを分割するデータ分割器５は、メモリ４に記録されたデータＡの分割パターンＣに基づいてデータＡをデータＡ１、Ａ２、Ａ３に分割する。
データを暗号化するデータ暗号器６は、Ａ１、Ａ２、Ａ３に分割されたデータを暗号化してＡ１’、Ａ２’、Ａ３’に変換する。
データを蓄積するデータ蓄積器７は、暗号化されたデータＡ１’、Ａ２’、Ａ３’を蓄積する。
【００１１】
次に蓄積されたデータを出力する方法について説明する。
暗号化されたデータを復号化するデータ復号器８は、データ蓄積器７に蓄積された暗号化されたデータＡ１’、Ａ２’、Ａ３’を、データＡ１、Ａ２、Ａ３に復号化する。
データ復元器９は、メモリ４に記録されたデータの分割パターンＣから、データの分割パターンと元のデータ名を取得し、データＡ１、Ａ２、Ａ３を組み立て、データＡを復元する。
データＡは、外部とのデータの入出力を行うデータ入出力器２から  ファイル管理装置外に出力される。
このようにすることで、暗号を復号化する方法が分かっても、データはＡ１、Ａ２、Ａ３と分割されているので、その分割のパターンが分からないと元のデータの形に復元することができず、データの内容が第三者に知られることはない。
【００１２】
実施の形態２．
以下、図を用いてこの発明に係る実施の形態２について説明する。
図２は実施の形態２による  ファイル管理装置の構成を示している。
図２において、Ａ、Ａ１〜Ａ３、Ｂ、Ｃ、１〜５、７、９は図１と同じである。１０は分割されたデータの暗号化のための暗号鍵を決める暗号鍵選択器であり、１１は複数の暗号鍵で暗号化が行える暗号鍵選択暗号器であり、１２は複数の暗号鍵で復号化が行える暗号鍵選択復号器であり、Ａ１’’、  Ａ２’’、  Ａ３’’は、暗号鍵選択暗号器１１で、Ａ１〜Ａ３を暗号化したデータであり、Ｄは複数の暗号化鍵を蓄積した暗号鍵表であり、Ｅは個々のデータをどの暗号鍵で暗号化するかを示したデータ暗号化パターンである。
【００１３】
次にデータを蓄積する方法について説明する。
ファイル管理装置１に入力された保護する必要のあるデータＡは、外部とのデータの入出力を行うデータ入出力器２から  ファイル管理装置内に入力される。
データ入出力器２から装置内にデータＡが入力されると、データを分割するパターンを決める分割パターン選択器３が、メモリに記録されたデータの分割パターン表Ｂから、データの分割パターンを一つ選択し、データＡをどのパターンで分割するか、分割後のデータ名をどうするかを決めてデータＡの分割パターンＣとして、メモリ４に記録する。ここでは、例として分割パターンはパターン１、パターン１はデータを３つに分割するので、分割後のデータ名をＡ１、Ａ２、Ａ３とする。データを分割するデータ分割器５は、メモリ４に記録されたデータＡの分割パターンＣに基づいてデータＡをデータＡ１、Ａ２、Ａ３に分割する。
暗号鍵選択器１０は、メモリ４に記録された複数の暗号化鍵を蓄積した暗号鍵表Ｄから、それぞれのデータを暗号化するのに使う暗号鍵を選択し、データ暗号化パターンＥとしてメモリ４に記録する。ここでは例として、Ａ１の暗号鍵は暗号鍵３、Ａ２の暗号鍵は暗号鍵１、Ａ３の暗号鍵は暗号鍵５とする。
暗号鍵選択暗号器１１は、メモリ４に記憶された暗号化のパターンＥに基づいて、分割されたデータＡ１、Ａ２、Ａ３を、暗号鍵３、暗号鍵１、暗号鍵５で暗号化し、Ａ１’’、Ａ２’’、Ａ３’’に変換する。
データを蓄積するデータ蓄積器７は、暗号化されたデータＡ１’’、Ａ２’’、Ａ３’を蓄積する。
【００１４】
次に蓄積されたデータを出力する方法について説明する。
暗号鍵選択復号器１２は、データ蓄積器７に蓄積された暗号化されたデータＡ１’’、Ａ２’’、Ａ３’をメモリ４に記録された暗号化のパターンＥに基づいて、暗号鍵３、暗号鍵１、暗号鍵５で復号化してＡ１、Ａ２、Ａ３に変換する。
データ復元器９は、メモリ４に記録されたデータの分割パターンＣから、データの分割パターンと元のデータ名を取得し、データＡ１、Ａ２、Ａ３を組み立て、データＡを復元する。
データＡは、外部とのデータの入出力を行うデータ入出力器２から  ファイル管理装置外に出力される。
このようにすることで、ある暗号を復号化する方法が分かっても、他の暗号を復号化する方法は分からないため、データの内容が第三者に知られることはない。
【００１５】
実施の形態３．
以下、図を用いてこの発明に係る実施の形態３について説明する。
図３は実施の形態３による  ファイル管理装置の構成を示している。
図３において、Ａ、Ａ１〜Ａ３、Ｂ、Ｃ、１〜９は図１と同じである。１３は元のデータの形とは異なる形で組み立てるパターンを決める、疑似データ組み立てパターン選択器であり、１４は上記疑似データ組み立てパターン選択器の決めたデータ組み立てパターンに基づいて、分割されたデータを組み立てる、疑似データ組み立て器であり、１５は上記疑似データ組み立てパターン選択器の決めたデータ組み立てパターンに基づいて、疑似データを分割する疑似データ分割器であり、Ｆは分割されたデータを組み立てるパターンを複数用意した疑似データ組み立てパターン表、Ｇは分割されたデータを組み立てるパターンを決めた疑似データ組み立てパターン、Ｈは擬似データ、Ｉは疑似データを暗号化した暗号化データである。
【００１６】
次にデータを蓄積する方法について説明する。
ファイル管理装置１に入力された保護する必要のあるデータＡは、外部とのデータの入出力を行うデータ入出力器２から  ファイル管理装置内に入力される。
データ入出力器２から装置内にデータＡが入力されると、データを分割するパターンを決める分割パターン選択器３が、メモリに記録されたデータの分割パターン表Ｂから、データの分割パターンを一つ選択し、データＡをどのパターンで分割するか、分割後のデータ名をどうするかを決めてデータＡの分割パターンＣとして、メモリ４に記録する。ここでは、例として分割パターンはパターン１、パターン１はデータを３つに分割するので、分割後のデータ名をＡ１、Ａ２、Ａ３とする。データを分割するデータ分割器５は、メモリ４に記録されたデータＡの分割パターンＣに基づいてデータＡをデータＡ１、Ａ２、Ａ３に分割する。
疑似データ組み立てパターン選択器１３は、分割されたデータとメモリ４に記録された疑似データ組み立てパターン表Ｆから、分割されたデータを組み立てるパターンを選択し、分割されたデータ名、分割されたデータを組み立てる組み立てパターン、擬似データ名を決めて、疑似データ組み立てパターンＧとしてメモリ４に記録する。ここでは例として、分割されたデータをＡ１、Ａ２、Ａ３、分割されたデータを組み立てる組み立てパターンを組み立てパターン３、擬似データ名をＨとする。
疑似データ組み立て器１４は、メモリ４の疑似データ組み立てパターンＧの分割されたデータを組み立てる組み立てパターン３に基づいて、分割されたＡ１、Ａ２、Ａ３データをＡ３、Ａ１、Ａ２の順番に組み立て、疑似データ生成し、データ名をＨとする。
データ暗号器６は、疑似データＨを暗号化データＩに変換する。
データを蓄積するデータ蓄積器７は、暗号化データＩを蓄積する。
【００１７】
次に蓄積されたデータを出力する方法について説明する。
データ復号器８によって、データを蓄積するデータ蓄積器７に蓄積された暗号化データＩは、疑似データＨ  に変換される。
疑似データ分割器１５は、メモリ４の疑似データ組み立てパターンＧの分割されたデータを組み立てる組み立てパターン３に基づいて、擬似データＨを分割し、データ名Ａ３、Ａ１、Ａ２を付与する。
データ復元器９は、メモリ４に記録されたデータの分割パターンＣから、データの分割パターンと元のデータ名を取得し、データＡ１、Ａ２、Ａ３を組み立て、データＡを復元する。
データＡは、外部とのデータの入出力を行うデータ入出力器２から  ファイル管理装置外に出力される。
このようにすることで、暗号を復号化する方法が分かっても、元のデータの形に復元することができず、データの内容が第三者に知られることはない。
【００１８】
実施の形態４．
以下、図を用いてこの発明に係る実施の形態４について説明する。
図４は実施の形態４による  ファイル管理装置の構成を示している。
図４において、Ａ、Ａ１〜Ａ３、Ａ１’〜Ａ３’、Ｂ、Ｃ、１〜９は図１と同じであり、Ｆ、１３〜１５は図３と同じである。Ｊは疑似データ組み立てパターン、Ｋは疑似データである。
【００１９】
次にデータを蓄積する方法について説明する。
ファイル管理装置１に入力された保護する必要のあるデータＡは、外部とのデータの入出力を行うデータ入出力器２から  ファイル管理装置内に入力される。
データ入出力器２から装置内にデータＡが入力されると、データを分割するパターンを決める分割パターン選択器３が、メモリに記録されたデータの分割パターン表Ｂから、データの分割パターンを一つ選択し、データＡをどのパターンで分割するか、分割後のデータ名をどうするかを決めてデータＡの分割パターンＣとして、メモリ４に記録する。ここでは、例として分割パターンはパターン１、パターン１はデータを３つに分割するので、分割後のデータ名をＡ１、Ａ２、Ａ３とする。データを分割するデータ分割器５は、メモリ４に記録されたデータＡの分割パターンＣに基づいてデータＡをデータＡ１、Ａ２、Ａ３に分割する。
データを暗号化するデータ暗号器６は、Ａ１、Ａ２、Ａ３に分割されたデータを暗号化してＡ１’、Ａ２’、Ａ３’に変換する。
疑似データ組み立てパターン選択器１３は、分割されたデータとメモリ４に記録された疑似データ組み立てパターン表Ｆから、分割されたデータを組み立てるパターンを選択し、分割されたデータ名、分割されたデータを組み立てる組み立てパターン、擬似データ名を決めて、疑似データ組み立てパターンＪとしてメモリ４に記録する。ここでは例として、分割されたデータをＡ１’、Ａ２’、Ａ３’、分割されたデータを組み立てる組み立てパターンを組み立てパターン３、擬似データ名をＫとする。
疑似データ組み立て器１４は、メモリ４の疑似データ組み立てパターンＪの分割されたデータを組み立てる組み立てパターン３に基づいて、分割された分割され暗号化されたＡ１’、Ａ２’、Ａ３’データをＡ３’、Ａ１’、Ａ２’の順番に組み立て、疑似データ生成し、データ名をＫとする。
データを蓄積するデータ蓄積器７は、疑似データＫを蓄積する。
【００２０】
次に蓄積されたデータを出力する方法について説明する。
疑似データ分割器１５は、メモリ４の疑似データ組み立てパターンＪの分割されたデータを組み立てる組み立てパターン３に基づいて、データを蓄積するデータ蓄積器７に蓄積された擬似データＫを分割し、データ名Ａ３’、Ａ１’、Ａ２’を付与する。
暗号化されたデータを復号化するデータ復号器８は、疑似データ分割器１５によって分割された、暗号化されたデータＡ１’、Ａ２’、Ａ３’を復号化して、データＡ１、Ａ２、Ａ３に変換する。
データ復元器９は、メモリ４に記録されたデータの分割パターンＣから、データの分割パターンと元のデータ名を取得し、データＡ１、Ａ２、Ａ３を組み立て、データＡを復元する。
データＡは、外部とのデータの入出力を行うデータ入出力器２から  ファイル管理装置外に出力される。
このようにすることで、暗号を復号化する方法が分かっても、元のデータの形に復元することができず、データの内容が第三者に知られることはない。
【００２１】
実施の形態５．
以下、図を用いてこの発明に係る実施の形態５について説明する。
図５は実施の形態５による  ファイル管理装置の構成を示している。
図５において、Ａ、Ａ１〜Ａ３、Ｂ、Ｃ、１〜５、７、９は図１と同じであり、Ａ１’’〜Ａ３’’、Ｄ、Ｅ、１０〜１１は図２と同じであり、Ｆ、１３〜１５は図３と同じである。Ｌは疑似データ組み立てパターン、Ｍは疑似データである。
【００２２】
次にデータを蓄積する方法について説明する。
ファイル管理装置１に入力された保護する必要のあるデータＡは、外部とのデータの入出力を行うデータ入出力器２から  ファイル管理装置内に入力される。
データ入出力器２から装置内にデータＡが入力されると、データを分割するパターンを決める分割パターン選択器３が、メモリに記録されたデータの分割パターン表Ｂから、データの分割パターンを一つ選択し、データＡをどのパターンで分割するか、分割後のデータ名をどうするかを決めてデータＡの分割パターンＣとして、メモリ４に記録する。ここでは、例として分割パターンはパターン１、パターン１はデータを３つに分割するので、分割後のデータ名をＡ１、Ａ２、Ａ３とする。データを分割するデータ分割器５は、メモリ４に記録されたデータＡの分割パターンＣに基づいてデータＡをデータＡ１、Ａ２、Ａ３に分割する。
暗号鍵選択器１０は、メモリ４に記録された複数の暗号化鍵を蓄積した暗号鍵表Ｄから、それぞれのデータを暗号化するのに使う暗号鍵を選択し、データ暗号化パターンＥとしてメモリ４に記録する。ここでは例として、Ａ１の暗号鍵は暗号鍵３、Ａ２の暗号鍵は暗号鍵１、Ａ３の暗号鍵は暗号鍵５とする。
暗号鍵選択暗号器１１は、メモリ４に記憶された暗号化のパターンＥに基づいて、分割されたデータＡ１、Ａ２、Ａ３を、暗号鍵３、暗号鍵１、暗号鍵５で暗号化し、Ａ１’’、Ａ２’’、Ａ３’’に変換する。
疑似データ組み立てパターン選択器１３は、分割されたデータとメモリ４に記録された疑似データ組み立てパターン表Ｆから、分割されたデータを組み立てるパターンを選択し、分割されたデータ名、分割されたデータを組み立てる組み立てパターン、擬似データ名を決めて、疑似データ組み立てパターンＬとしてメモリ４に記録する。ここでは例として、分割されたデータをＡ１’’、Ａ２’’、Ａ３’’、分割されたデータを組み立てる組み立てパターンを組み立てパターン３、擬似データ名をＭとする。
疑似データ組み立て器１４は、メモリ４の疑似データ組み立てパターンＬの分割されたデータを組み立てる組み立てパターン３に基づいて、分割された分割され暗号化されたＡ１’’、Ａ２’’、Ａ３’’データをＡ３’’、Ａ１’’、Ａ２’’の順番に組み立て、疑似データ生成し、データ名をＭとする。
データを蓄積するデータ蓄積器７は、疑似データＭを蓄積する。
【００２３】
次に蓄積されたデータを出力する方法について説明する。
疑似データ分割器１５は、メモリ４の疑似データ組み立てパターンＬの分割されたデータを組み立てる組み立てパターン３に基づいて、データを蓄積するデータ蓄積器７に蓄積された擬似データＭを分割し、データ名Ａ３’、Ａ１’’、Ａ２’’を付与する。
暗号鍵選択復号器１２は、データ蓄積器７に蓄積された暗号化されたデータＡ１’’、Ａ２’’、Ａ３’をメモリ４に記録された暗号化のパターンＥに基づいて、暗号鍵３、暗号鍵１、暗号鍵５で復号化してＡ１、Ａ２、Ａ３に変換する。
データ復元器９は、メモリ４に記録されたデータの分割パターンＣから、データの分割パターンと元のデータ名を取得し、データＡ１、Ａ２、Ａ３を組み立て、データＡを復元する。
データＡは、外部とのデータの入出力を行うデータ入出力器２から  ファイル管理装置外に出力される。
このようにすることで、全ての暗号を復号化する方法が分かっても、元のデータの形に復元することができず、データの内容が第三者に知られることはない。
【００２４】
【発明の効果】
この発明によれば、暗号化されたデータを復号化する方法が第三者に知られてしまっても、それだけでは元のデータを復元できないために、データのセキュリティを守るための効果は大きい。
【図面の簡単な説明】
【図１】この発明の実施の形態１を説明するための図である。
【図２】この発明の実施の形態２を説明するための図である。
【図３】この発明の実施の形態３を説明するための図である。
【図４】この発明の実施の形態４を説明するための図である。
【図５】この発明の実施の形態５を説明するための図である。
【符号の説明】
１  ファイル管理装置    ２  データ入出力器    ３    分割パターン選択器    ４    メモリ    ５  データ分割器    ６    データ暗号器    ７    データ蓄積器    ８    データ復号器    ９    データ復元器    １０    暗号鍵選択器    １１    暗号鍵選択暗号器    １２    暗号鍵選択復号器  １３    疑似データ組み立てパターン選択器    １４    疑似データ組み立て器    １５    疑似データ分割器  Ａ  保護する必要のあるデータ  Ａ１    Ａを分割したデータ  Ａ２    Ａを分割したデータＡ３    Ａを分割したデータ    Ａ１’  Ａ１を暗号化したデータ    Ａ２’  Ａ２を暗号化したデータ    Ａ３’  Ａ３を暗号化したデータ    Ｂ    データの分割パターン表    Ｃ    データＡの分割パターン    Ａ１’’  Ａ１を暗号化したデータ    Ａ２’’  Ａ２を暗号化したデータ    Ａ３’’  Ａ３を暗号化したデータ    Ｄ  暗号鍵表    Ｅ    データ暗号化パターン  Ｆ    疑似データ組み立てパターン表    Ｇ疑似データ組み立てパターン    Ｈ    擬似データ    Ｉ    暗号化データ  Ｊ  疑似データ組み立てパターン  Ｋ  疑似データ  Ｌ  疑似データ組み立てパターン  Ｍ疑似データ
【図１】
2004234371.tif 000003
【図２】
2004234371.tif 000004
【図３】
2004234371.tif 000005
【図４】
2004234371.tif 000006
【図５】
2004234371.tif 000007